(57)【特許請求の範囲】
【請求項１】
原稿に含まれる複数のページを１ページに集約した集約ページを形成する画像形成装置であって、
各ページの属性の情報を記憶する記憶部と、
前記原稿に含まれる各ページに対応するアイコンをページ順に並べたプレビュー画面を表示する表示部と、
該表示部に表示されたプレビュー画面においてユーザによりなされる前記アイコンの並び順の変更に応じて各ページの並び順を変更するよう指示する変更指示をユーザから受け付ける指示受付部と、
該指示受付部が前記変更指示を受け付けた場合に、前記属性の情報に基づいて、前記並び順の変更により前記属性の異なるページが同一の集約ページに混在することになるか否かを判定する集約判定部と、
該集約判定部により前記属性の異なるページが前記同一の集約ページに混在することになると判定された場合に、前記表示部を制御して、該表示部に警告メッセージを表示させる表示制御部と、
を備えることを特徴とする画像形成装置。
【請求項２】
前記指示受付部は、前記集約ページの形成対象である原稿に含まれるページに対応するアイコンを、該原稿の他のページに対応するアイコンの前に挿入して各ページの並び順を変更するよう指示する変更指示をユーザから受け付けることを特徴とする請求項１に記載の画像形成装置。
【請求項３】
前記指示受付部は、前記原稿とは別の原稿に含まれるページに対応するアイコンを、前記原稿に含まれるページの前に挿入して各ページの並び順を変更するよう指示する変更指示をユーザから受け付け、前記指示受付部が該変更指示を受け付けた場合に、前記集約判定部は、前記属性の情報、および、前記別の原稿に含まれるページの属性の情報に基づいて、前記並び順の変更により前記属性の異なるページが同一の集約ページに混在することになるか否かを判定することを特徴とする請求項１または２に記載の画像形成装置。
【請求項４】
前記表示部は、前記原稿の各ページに対応するアイコンをページ順に並べるとともに、前記別の原稿の各ページに対応するアイコンをページ順に並べたプレビュー画面を表示することを特徴とする請求項３に記載の画像形成装置。
【請求項５】
前記指示受付部は、前記原稿に含まれるページを削除して各ページの並び順を変更するよう指示する変更指示をユーザから受け付けることを特徴とする請求項１〜４のいずれか１項に記載の画像形成装置。
【請求項６】
前記集約判定部は、前記並び順が変更されたページを含む集約ページについて、前記属性の異なるページが該集約ページに混在することになるか否かを判定するとともに、該集約ページよりも後ろの別の集約ページについて、前記属性の異なるページが該別の集約ページに混在することになるか否かを判定し、前記表示制御部は、前記集約判定部により、前記集約ページについて、前記属性の異なるページが該集約ページに混在することになると判定された場合に、前記表示部を制御して、該表示部に警告メッセージを表示させるとともに、前記別の集約ページについて、前記属性の異なるページが該別の集約ページに混在することになると判定された場合に、前記表示部を制御して、該表示部に警告メッセージを表示させることを特徴とする請求項１〜５のいずれか１項に記載の画像形成装置。
【請求項７】
前記属性の情報は、各ページの画像がカラー画像であるか、または、モノクロ画像であるかの情報であり、前記カラー画像のページとモノクロ画像のページとが混在した複数のページを１ページに集約して、カラー、または、モノクロの集約ページを形成するページ形成部をさらに備え、前記表示制御部は、前記集約判定部によりカラー画像のページとモノクロ画像のページとが前記同一の集約ページに混在するようになると判定された場合に、前記ページ形成部によりカラーの集約ページが形成されること、または、モノクロの集約ページが形成されることを通知するメッセージを前記警告メッセージとして前記表示部に表示させることを特徴とする請求項１〜６のいずれか１項に記載の画像形成装置。
【請求項８】
前記属性の情報は、各ページの画像がカラー画像であるか、または、モノクロ画像であるかの情報であり、前記集約判定部によりカラー画像のページとモノクロ画像のページとが前記同一の集約ページに混在するようになると判定された場合に、前記並び順の変更を禁止する変更禁止処理部をさらに備え、前記表示制御部は、前記集約判定部によりカラー画像のページとモノクロ画像のページとが前記同一の集約ページに混在するようになると判定された場合に、前記並び順の変更が禁止されることを通知するメッセージを前記警告メッセージとして前記表示部に表示させることを特徴とする請求項１〜６のいずれか１項に記載の画像形成装置。
【請求項９】
前記表示部は、前記プレビュー画面において、前記属性の異なるページを異なる態様で表示することを特徴とする請求項１〜８のいずれか１項に記載の画像形成装置。
【請求項１０】
原稿に含まれる複数のページを１ページに集約した集約ページを形成する画像形成方法であって、
前記原稿に含まれる各ページに対応するアイコンがページ順に並んだプレビュー画面を表示する表示ステップと、
該表示ステップにおいて表示されたプレビュー画面においてユーザによりなされる前記アイコンの並び順の変更に応じて各ページの並び順を変更するよう指示する変更指示をユーザから受け付ける指示受付ステップと、
該指示受付ステップにおいて前記変更指示を受け付けた場合に、記憶部に記憶された各ページの属性の情報に基づいて、前記並び順の変更を行うことにより前記属性の異なるページが同一の集約ページに混在することになるか否かを判定する集約判定ステップと、
該集約判定ステップにおいて前記属性の異なるページが前記同一の集約ページに混在することになると判定された場合に、警告メッセージを表示する警告メッセージ表示ステップと、
を含むことを特徴とする画像形成方法。
【発明の詳細な説明】
【技術分野】
【０００１】
本発明は、原稿に含まれる複数のページを１ページに集約した集約ページを形成する画像形成装置、および、画像形成方法に関する。
【背景技術】
【０００２】
従来、ＭＦＰ（Multifunction Peripheral）などの画像形成装置には、ＣＹＭＫ（シアン、イエロー、マゼンダ、ブラック）の各トナーを用いてカラーで画像を印刷するカラー印刷機能と、ブラック単色のトナーを用いてモノクロで画像を印刷するモノクロ印刷機能が搭載されている。また、画像形成装置には、複数のページを１ページに集約して印刷する機能が搭載されたものもある。
【０００３】
集約される複数のページにカラー画像のページとモノクロ画像のページとが混在している場合、画像形成装置が、カラー印刷機能により集約ページを印刷すると、モノクロ画像のページについてもカラー印刷が行われることになる。その場合、カラー印刷はモノクロ印刷よりも時間がかかるため、すべての集約ページを印刷するために要する時間が長くなる。
【０００４】
そのため、特許文献１には、カラー画像のページを集約した集約ページと、モノクロ画像のページを集約した集約ページを生成し、カラー画像のページを集約した集約ページについてはカラー印刷を、モノクロ画像のページを集約した集約ページについてはモノクロ印刷を行う画像形成装置が開示されている。
【０００５】
また、集約されるページにカラー画像のページとモノクロ画像のページとが混在している場合、モノクロ画像のページについてもカラー印刷を行うこととすると、カラー印刷はモノクロ印刷よりも印刷コストが高くなるので、印刷コストが高くなるという問題もある。
【０００６】
そのため、特許文献２には、集約される画像データの順番を入れ替えたり、カラー変換を行って、画像データを同種の画像データの組（１色からなる画像データの組、２色からなる画像データの組、あるいは、３色以上からなる画像データの組）に集約する画像形成装置が開示されている。
【０００７】
また、従来の画像形成装置には、集約される複数のページにカラー画像のページとモノクロ画像のページとが混在している場合、集約ページにおけるカラー画像のページの部分についてはカラー印刷を行い、モノクロ画像のページの部分についてはブラック単色で印刷を行うものもある。
【０００８】
しかし、カラー画像のページの部分とモノクロ画像のページの部分に絵柄が含まれている場合、モノクロ画像のページの部分についてブラック単色で印刷を行うと、カラー画像のページの部分とモノクロ画像のページの部分の間で色調が揃わなくなってしまう。
【０００９】
そのため、特許文献３には、モノクロページに含まれる絵柄について、カラーページの部分の絵柄と同様にＣＭＹＫの各トナーを用いて印刷を行う画像処理装置が開示されている。
【００１０】
また、従来の画像処理装置には、原稿にカラー画像が含まれるか否かを判定するためにプレスキャンを行うものもある。この画像形成装置は、全原稿の読み取りを行い、その結果得られた画像データをメモリに格納する。そして、画像形成装置は、全ての画像データをメモリから読み出して、集約される画像データにカラー画像が含まれているか否かを判定する。
【００１１】
集約される画像データにカラー画像が含まれている場合、画像形成装置は、メモリから全ての画像データを読み出して、カラーの集約画像データを生成し、その集約画像データをメモリに格納する。集約されるページにカラー画像が含まれていない場合、画像形成装置は、メモリから全ての画像データを読み出して、モノクロの集約画像データを生成し、その集約画像データをメモリに格納する。その後、画像形成装置は、メモリから集約画像データを読み出し、その集約画像データを印刷する。
【００１２】
しかし、この画像形成装置では、全ての画像データをメモリに格納しておく必要があるので大きなメモリ容量が必要となり、また、全ての画像データを２度読み出す必要があるので処理速度の低下を招くという問題がある。
【００１３】
そのため、特許文献４には、プレスキャンを行って全ての画像データを一度に読み取るのではなく、集約画像データを印刷する度に、印刷される画像データを順次読み取る画像形成装置が開示されている。
【先行技術文献】
【特許文献】
【００１４】
【特許文献１】特開２００５−２０４１９号公報
【特許文献２】特開２００９−１０７６９号公報
【特許文献３】特開２００９−２０６６１０号公報
【特許文献４】特開２００４−２２９１２９号公報
【発明の概要】
【発明が解決しようとする課題】
【００１５】
しかしながら、上述した特許文献１〜４の従来技術は、ユーザが集約ページに含まれるページの挿入や削除などの編集を、プレビュー画面上で行う際に、ユーザの編集作業を支援するものではなかった。
【００１６】
近年、上記編集処理をプレビュー画面上で行うことが可能な画像形成装置が開発されているが、ユーザがプレビュー画面上で上記編集を行った結果、ユーザが気づかずに、集約ページにカラー画像のページとモノクロ画像のページとが混在するようになる場合も生じ得る。このような場合に、画像形成装置がモノクロ印刷を行うように設定されていると、ユーザが意図しないモノクロ印刷が無駄に実行されることになる。
【００１７】
また、集約ページにカラー画像のページとモノクロ画像のページとが混在することになるような編集を画像処理装置が許可しない場合、集約ページにおけるカラー画像のページとモノクロ画像のページの混在にユーザが気付かないと、ユーザは上記編集がなぜ許可されないのかを把握できず、ユーザは効率的に編集作業を行うことができない。
【００１８】
本発明は、上記実情に鑑み、ユーザが集約ページに含まれるページの挿入や削除などの編集作業を行う際に、ユーザの編集作業を効果的に支援することができる画像形成装置、および、画像形成方法を提供することを目的とする。
【課題を解決するための手段】
【００１９】
上記課題を解決する為に、本発明の第１の技術手段は、原稿に含まれる複数のページを１ページに集約した集約ページを形成する画像形成装置であって、各ページの属性の情報を記憶する記憶部と、前記原稿に含まれる各ページに対応するアイコンをページ順に並べたプレビュー画面を表示する表示部と、該表示部に表示されたプレビュー画面においてユーザによりなされる前記アイコンの並び順の変更に応じて各ページの並び順を変更するよう指示する変更指示をユーザから受け付ける指示受付部と、該指示受付部が前記変更指示を受け付けた場合に、前記属性の情報に基づいて、前記並び順の変更により前記属性の異なるページが同一の集約ページに混在することになるか否かを判定する集約判定部と、該集約判定部により前記属性の異なるページが前記同一の集約ページに混在することになると判定された場合に、前記表示部を制御して、該表示部に警告メッセージを表示させる表示制御部と、を備えることを特徴とする。
【００２０】
本発明の第２の技術手段は、第１の技術手段において、前記指示受付部は、前記集約ページの形成対象である原稿に含まれるページに対応するアイコンを、該原稿の他のページに対応するアイコンの前に挿入して各ページの並び順を変更するよう指示する変更指示をユーザから受け付けることを特徴とする。
【００２１】
本発明の第３の技術手段は、第１または第２の技術手段において、前記指示受付部は、前記原稿とは別の原稿に含まれるページに対応するアイコンを、前記原稿に含まれるページの前に挿入して各ページの並び順を変更するよう指示する変更指示をユーザから受け付け、前記指示受付部が該変更指示を受け付けた場合に、前記集約判定部は、前記属性の情報、および、前記別の原稿に含まれるページの属性の情報に基づいて、前記並び順の変更により前記属性の異なるページが同一の集約ページに混在することになるか否かを判定することを特徴とする。
【００２２】
本発明の第４の技術手段は、第３の技術手段において、前記表示部は、前記原稿の各ページに対応するアイコンをページ順に並べるとともに、前記別の原稿の各ページに対応するアイコンをページ順に並べたプレビュー画面を表示することを特徴とする。
【００２３】
本発明の第５の技術手段は、第１〜第４のいずれか１つの技術手段において、前記指示受付部は、前記原稿に含まれるページを削除して各ページの並び順を変更するよう指示する変更指示をユーザから受け付けることを特徴とする。
【００２４】
本発明の第６の技術手段は、第１〜第５のいずれか１つの技術手段において、前記集約判定部は、前記並び順が変更されたページを含む集約ページについて、前記属性の異なるページが該集約ページに混在することになるか否かを判定するとともに、該集約ページよりも後ろの別の集約ページについて、前記属性の異なるページが該別の集約ページに混在することになるか否かを判定し、前記表示制御部は、前記集約判定部により、前記集約ページについて、前記属性の異なるページが該集約ページに混在することになると判定された場合に、前記表示部を制御して、該表示部に警告メッセージを表示させるとともに、前記別の集約ページについて、前記属性の異なるページが該別の集約ページに混在することになると判定された場合に、前記表示部を制御して、該表示部に警告メッセージを表示させることを特徴とする。
【００２５】
本発明の第７の技術手段は、第１〜第６のいずれか１つの技術手段において、前記属性の情報は、各ページの画像がカラー画像であるか、または、モノクロ画像であるかの情報であり、前記カラー画像のページとモノクロ画像のページとが混在した複数のページを１ページに集約して、カラー、または、モノクロの集約ページを形成するページ形成部をさらに備え、前記表示制御部は、前記集約判定部によりカラー画像のページとモノクロ画像のページとが前記同一の集約ページに混在するようになると判定された場合に、前記ページ形成部によりカラーの集約ページが形成されること、または、モノクロの集約ページが形成されることを通知するメッセージを前記警告メッセージとして前記表示部に表示させることを特徴とする。
【００２６】
本発明の第８の技術手段は、第１〜第６のいずれか１つの技術手段において、前記属性の情報は、各ページの画像がカラー画像であるか、または、モノクロ画像であるかの情報であり、前記集約判定部によりカラー画像のページとモノクロ画像のページとが前記同一の集約ページに混在するようになると判定された場合に、前記並び順の変更を禁止する変更禁止処理部をさらに備え、前記表示制御部は、前記集約判定部によりカラー画像のページとモノクロ画像のページとが前記同一の集約ページに混在するようになると判定された場合に、前記並び順の変更が禁止されることを通知するメッセージを前記警告メッセージとして前記表示部に表示させることを特徴とする。
【００２７】
本発明の第９の技術手段は、第１〜第８のいずれか１つの技術手段において、前記表示部は、前記プレビュー画面において、前記属性の異なるページを異なる態様で表示することを特徴とする。
【００２８】
本発明の第１０の技術手段は、原稿に含まれる複数のページを１ページに集約した集約ページを形成する画像形成方法であって、前記原稿に含まれる各ページに対応するアイコンがページ順に並んだプレビュー画面を表示する表示ステップと、該表示ステップにおいて表示されたプレビュー画面においてユーザによりなされる前記アイコンの並び順の変更に応じて各ページの並び順を変更するよう指示する変更指示をユーザから受け付ける指示受付ステップと、該指示受付ステップにおいて前記変更指示を受け付けた場合に、記憶部に記憶された各ページの属性の情報に基づいて、前記並び順の変更を行うことにより前記属性の異なるページが同一の集約ページに混在することになるか否かを判定する集約判定ステップと、該集約判定ステップにおいて前記属性の異なるページが前記同一の集約ページに混在することになると判定された場合に、警告メッセージを表示する警告メッセージ表示ステップと、を含むことを特徴とする。
【発明の効果】
【００２９】
本発明によれば、原稿に含まれる各ページに対応するアイコンがページ順に並んだプレビュー画面を表示し、表示されたプレビュー画面においてユーザによりなされる前記アイコンの並び順の変更に応じて各ページの並び順を変更するよう指示する変更指示をユーザから受け付け、変更指示を受け付けた場合に、記憶部に記憶された各ページの画像データの属性の情報に基づいて、並び順の変更を行うことにより属性の異なるページが同一の集約ページに混在することになるか否かを判定し、属性の異なるページが同一の集約ページに混在することになると判定された場合に、警告メッセージを表示することとしたので、ユーザが集約ページに含まれるページの挿入や削除などの編集作業を行う際に、ユーザのページの編集作業を効果的に支援することができる。
【図面の簡単な説明】
【００３０】
【図１】本発明の実施形態に係るページ集約処理の一例について説明する図である。
【図２】ページの挿入を行う場合のページ集約処理の一例について説明する図である。
【図３】ページの挿入を行う場合のページ集約処理の別の例について説明する図である。
【図４】本発明の実施形態に係る画像形成装置の機能構成の一例を示すブロック図である。
【図５】ページの編集指示をユーザから受け付けるプレビュー画面の一例を示す図である。
【図６】別の原稿に含まれるページを挿入するページの編集指示をユーザから受け付けるプレビュー画面の一例を示す図である。
【図７】警告メッセージを表示するプレビュー画面の一例を示す図である。
【図８】本発明の実施形態に係る画像形成処理の処理手順の一例を示すフローチャートである。
【図９】通常印刷処理の処理手順の一例について説明するフローチャートである。
【図１０】集約印刷処理の処理手順の一例について説明するフローチャートである。
【図１１】ページ編集処理の禁止処理の一例について説明する図である。
【発明を実施するための形態】
【００３１】
以下、本発明の実施形態について図面を参照して詳細に説明する。まず、本発明の実施形態に係る画像形成処理について説明する。図１は、本発明の実施形態に係るページ集約処理の一例について説明する図である。
【００３２】
図１には、画像形成装置により順に読み取られた原稿画像の各ページ１ａ〜１ｊが示されている。ページに付された「Ｃ」の記号は、そのページがカラー画像であることを示し、「Ｍ」の記号は、そのページがモノクロ画像であることを示す。そして、画像形成装置のタッチパネルには、図１に示す各ページ１ａ〜１ｊに対応するアイコンがページ順にプレビュー画面として表示される。ここで、アイコンとは、原稿画像の各ページ１ａ〜１ｊの画像を縮小し、各画像を視認可能に表示したものである。
【００３３】
ここで、画像形成装置とは、ＭＦＰ（Multifunction Peripheral）やプリンタ、コピー機、ファクシミリなどの画像を形成する装置である。以下では、画像形成装置が、ＭＦＰである場合について説明する。
【００３４】
この画像形成装置は、スキャンにより読み取った原稿に含まれる複数のページを１ページに集約して印刷する集約コピー機能（Ｎｉｎ１コピー：Ｎは２以上の自然数）を備えている。この集約コピーでは、読み取った複数のページを１ページに集約した集約ページを生成し、生成した集約ページを印刷する。
【００３５】
図１には、２ページを１ページに集約した各集約ページ２ａ〜２ｅが示されている。なお、以下では、２ｉｎ１コピーを行う場合について説明するが、これに限定されず、本発明は４ｉｎ１コピーなど他の集約コピーにも適用することができる。
【００３６】
この画像形成装置は、原稿をスキャンする際に、原稿に含まれる各ページがカラー画像のページか、モノクロ画像のページかを判定し、カラー原稿のページについてはカラー印刷を行い、モノクロ画像のページについてはモノクロ印刷を行う。
【００３７】
ただし、集約コピーが行われる場合であって、集約ページにカラー画像のページとモノクロ画像のページとが混在する場合は、画像形成装置は、カラー画像のページをモノクロ画像のページに変換してモノクロ画像のページだけが含まれる集約ページを生成し、生成した集約ページについてモノクロ印刷を行う。
【００３８】
例えば、図１において、集約対象となるページがいずれもカラー画像のページ（ページ１ａとページ１ｂ、ページ１ｇとページ１ｈ、ページ１ｉとページ１ｊ）である場合、画像処理装置は、カラー画像の集約ページ（集約ページ２ａ、２ｄ、２ｅ）を生成する。
【００３９】
また、集約対象となるページがいずれもモノクロ画像のページ（ページ１ｅとページ１ｆ）である場合、画像形成装置は、モノクロ画像の集約ページ（集約ページ２ｃ）を生成する。
【００４０】
さらに、集約対象となるページがカラー画像のページ（ページ１ｃ）とモノクロ画像のページ（ページ１ｄ）とを含んでいる場合、画像形成装置は、カラー画像のページ（ページ１ｃ）をモノクロ画像のページに変換してモノクロ画像のページだけが含まれる集約ページ（集約ページ２ｂ）を生成する。
【００４１】
図２は、ページの挿入を行う場合のページ集約処理の一例について説明する図である。図２には、ページ１ｆの前にページ１ｇを挿入する場合が示されている。画像形成装置のタッチパネルには、図２に示す各ページ１ａ〜１ｊに対応するアイコンがページ順にプレビュー画面として表示され、ユーザは、タッチパネルでページ１ｇをドラッグし、ページ１ｆの前にページ１ｇを挿入することにより、ページ１ｇの挿入処理の実行を画像形成装置に指示する。
【００４２】
画像形成装置は、図１の場合と同様に、集約対象となるページがいずれもカラー画像のページ（ページ１ａとページ１ｂ、ページ１ｉとページ１ｊ）である場合、カラー画像の集約ページ（集約ページ２ａ、２ｅ）を生成し、その集約ページのカラー印刷を行う。
【００４３】
また、画像形成装置は、集約対象となるページがカラー画像のページとモノクロ画像のページ（ページ１ｃとページ１ｄ、ページ１ｅとページ１ｇ、ページ１ｆとページ１ｈ）である場合、カラー画像のページをモノクロ画像のページに変換してモノクロ画像のページだけが含まれる集約ページ（集約ページ２ｂ、２ｃ、２ｄ）を生成し、その集約ページのモノクロ印刷を行う。
【００４４】
ここで、ページ１ｅとページ１ｆの間にページ１ｇを挿入し、ページ１ｆ〜１ｊの並び順を変更する場合、画像処理装置は、その並び順の変更により、カラー画像のページとモノクロ画像のページとが同一の集約ページに混在するようになるか否かを判定する。
【００４５】
図２の例では、ページ１ｇを挿入した結果、集約ページ２ｃにカラー画像のページとモノクロ画像のページとが混在するようになり、ページ１ｇがモノクロ印刷されることとなるので、画像処理装置は、ページ１ｇがモノクロ印刷されることとなる旨の警告メッセージ３を表示する。また、ページ１ｈもモノクロ印刷されることとなるので、画像処理装置は、ページ１ｈに対しても、ページ１ｈがモノクロ印刷されることとなる旨の警告メッセージ３を表示する（図示せず）。
【００４６】
これにより、ユーザが集約ページに含まれるページの編集を行う際に、ページの印刷処理がモノクロ印刷となることをユーザに通知することができ、ユーザによるページの編集作業を効果的に支援することができる。
【００４７】
また、画像形成装置は、ページ１ｇ、１ｈがモノクロで印刷されることを許可する旨の指示をユーザから受け付ける許可指示受付領域３ａと、それを許可しない旨の指示をユーザから受け付ける禁止指示受付領域３ｂを警告メッセージ３とともにタッチパネルに表示する。
【００４８】
そして、ページ１ｇ、１ｈのそれぞれについて表示された警告メッセージ３における許可指示受付領域３ａをユーザがタッチした場合、画像処理装置は、ページ１ｇの挿入処理を実行する。その後、ユーザから集約ページ２ａ〜２ｅの印刷指示を受け付けた場合、画像処理装置は、集約ページ２ａ〜２ｅの印刷を行う。この場合、画像処理装置は、集約ページ２ａ、２ｅについてはカラー印刷を行い、集約ページ２ｂ〜２ｄについてはモノクロ印刷を行う。
【００４９】
ユーザが禁止指示受付領域３ｂをタッチした場合、画像処理装置は、ページ１ｇの挿入処理の実行をキャンセルする。そして、ユーザから印刷指示を受け付けた場合、画像処理装置は、もとの並び順でページが集約された集約ページの印刷を実行する。なお、ページ１ｇの挿入処理の実行をキャンセルするのではなく、その挿入処理を実行することとし、禁止指示受付領域３ｂがタッチされたページ１ｇ、１ｈを含む集約ページ２ｃ、２ｄについて、カラー印刷を行うようにしてもよい。
【００５０】
このように、並び順が変更されたページ１ｆ〜１ｊのうち、ページ１ｇを含む集約ページ２ｃについて、カラー画像のページとモノクロ画像のページとが集約ページ２ｃに混在することになるか否かを判定するとともに、ページ１ｇよりも後ろのページ１ｆ、１ｈを含む集約ページ２ｄについて、カラー画像のページとモノクロ画像のページとが集約ページ２ｃに混在することになるか否かを判定することとしたので、ページ１ｇが挿入された集約ページ２ｃだけでなく、ページ１ｇの挿入により影響を受ける他のページ１ｈについても、ユーザにモノクロ印刷がなされることを通知することができ、ユーザのページの編集作業を効果的に支援することができる。
【００５１】
図３は、ページの挿入を行う場合のページ集約処理の別の例について説明する図である。図３には、ページ１ｆの前に、ページ１ａ〜１ｊを含む原稿とは別の原稿から読み取られたページ４を挿入する場合が示されている。
【００５２】
ここで、画像形成装置のタッチパネルには、ページ４を含む別の原稿の各ページに対応するアイコンが、ページ１ａ〜１ｊに対応するアイコンとともにプレビュー画面として表示されているものとし、ユーザは、タッチパネルに表示されたページ４をドラッグし、ページ１ｆの前にページ４を挿入することにより、ページ４の挿入処理の実行を画像形成装置に指示する。
【００５３】
画像形成装置は、図１の場合と同様に、ページ４を挿入した後の集約対象となるページがいずれもカラー画像のページ（ページ１ａとページ１ｂ、ページ１ｈとページ１ｉ）である場合、カラー画像の集約ページ（集約ページ２ａ、２ｅ）を生成し、その集約ページのカラー印刷を行う。なお、集約ページ２ｆには、ページ１ｊしか含まれないこととなるが、ページ１ｊはカラー画像であるため、画像形成装置は、カラー画像の集約ページを生成し、その集約ページのカラー印刷を行う。
【００５４】
また、集約対象となるページがカラー画像のページとモノクロ画像のページ（ページ１ｃとページ１ｄ、ページ１ｅとページ４、ページ１ｆとページ１ｇ）である場合、画像形成装置は、カラー画像のページをモノクロ画像のページに変換してモノクロ画像のページだけが含まれる集約ページ（集約ページ２ｂ、２ｃ、２ｄ）を生成し、その集約ページのモノクロ印刷を行う。
【００５５】
ここで、ページ１ｆの前にページ４を挿入し、ページ１ｆ〜１ｊの並び順を変更する場合、画像処理装置は、その並び順の変更により、カラー画像のページとモノクロ画像のページとが同一の集約ページに混在するようになるか否かを判定する。
【００５６】
図３の例では、ページ４を挿入した結果、集約ページ２ｃにカラー画像のページとモノクロ画像のページとが混在するようになり、ページ４がモノクロ印刷されることとなるので、画像処理装置は、ページ４がモノクロ印刷されることとなる旨の警告メッセージ３を表示する。また、ページ１ｇもモノクロ印刷されることとなるので、画像処理装置は、ページ１ｇに対しても、ページ１ｇがモノクロ印刷されることとなる旨の警告メッセージ３を表示する（図示せず）。
【００５７】
さらに、画像形成装置は、ページ４、１ｇがモノクロで印刷されることを許可する旨の指示をユーザから受け付ける許可指示受付領域３ａと、それを許可しない旨の指示をユーザから受け付ける禁止指示受付領域３ｂを警告メッセージ３とともにタッチパネルに表示する。
【００５８】
そして、ページ４、１ｇのそれぞれについて表示された警告メッセージ３におけるユーザが許可指示受付領域３ａをタッチした場合、画像処理装置は、ページ４の挿入処理を実行する。その後、ユーザから集約ページ２ａ〜２ｆの印刷指示を受け付けた場合、画像処理装置は、集約ページ２ａ〜２ｆの印刷を行う。この場合、画像処理装置は、集約ページ２ａ、２ｅ、２ｆについてはカラー印刷を行い、集約ページ２ｂ〜２ｄについてはモノクロ印刷を行う。
【００５９】
ユーザが禁止指示受付領域３ｂをタッチした場合、画像処理装置は、ページ４の挿入処理の実行をキャンセルする。そして、ユーザから印刷指示を受け付けた場合、画像処理装置は、もとの並び順でページが集約された集約ページの印刷を実行する。なお、ページ４の挿入処理の実行をキャンセルするのではなく、その挿入処理を実行することとし、禁止指示受付領域３ｂがタッチされたページ４、１ｇを含む集約ページ２ｃ、２ｄについて、カラー印刷を行うようにしてもよい。
【００６０】
このように、ユーザがプレビュー画面においてページの並び順の変更を行う結果、カラー画像のページとモノクロ画像のページが同一の集約ページに混在することになると判定された場合に、モノクロの集約ページが印刷されることを示す警告メッセージ３を表示することとしたので、ユーザにモノクロの集約ページが印刷されることを通知することができ、ユーザのページの編集作業を効果的に支援することができる。
【００６１】
また、プレビュー画面において、ユーザが同一原稿内でアイコンを他のアイコンの前に挿入したり、別の原稿のページのアイコンを印刷対象となる原稿のページのアイコンの前に挿入したりして行ったページの並び順の変更指示を受け付けることとしたので、ユーザのページの編集作業を容易にすることができる。
【００６２】
つぎに、本発明の実施形態に係る画像形成装置１０の機能構成について説明する。図４は、本発明の実施形態に係る画像形成装置１０の機能構成の一例を示すブロック図である。図４に示すように、この画像形成装置１０は、入力部１１、表示部１２、ネットワークインターフェース部１３、電話回線インターフェース部１４、ページ形成部１５、記憶部１６、制御部１７を備える。
【００６３】
入力部１１は、タッチパッドなどにより構成される入力デバイスである。表示部１２は、液晶パネルなどにより構成される表示デバイスである。入力部１１と表示部１２とは、組み合わされて、タッチパネルを構成する。
【００６４】
ネットワークインターフェース部１３は、ＬＡＮ（Local Area Network）などのネットワークを介して、他の通信装置と通信を行う処理部である。電話回線インターフェース部１４は、電話回線を介して、ＦＡＸ装置などの他の装置と通信を行う処理部である。
【００６５】
ページ形成部１５は、各種の画像形成処理を実行する処理部である。このページ形成部１５は、印刷処理部１５ａ、コピー処理部１５ｂ、スキャン処理部１５ｃ、ＦＡＸ処理部１５ｄを備える。
【００６６】
印刷処理部１５ａは、原稿データの印刷処理を行う処理部である。例えば、印刷処理部１５ａは、集約コピー時に、１ページに集約されるページがすべてカラー画像である場合、カラー画像の集約ページの画像データを生成し、生成した画像データのカラー印刷を行う。また、印刷処理部１５ａは、１ページに集約されるページがすべてモノクロ画像である場合、モノクロ画像の集約ページの画像データを生成し、生成した画像データのモノクロ印刷を行う。
【００６７】
さらに、印刷処理部１５ａは、１ページに集約されるページがカラー画像のページとモノクロ画像のページの両方を含む場合、カラー画像のページをモノクロ画像のページに変換してモノクロ画像のページだけが含まれる集約ページの画像データを生成し、生成した画像データのモノクロ印刷を行う。
【００６８】
スキャン処理部１５ｂは、原稿のスキャン処理を行う処理部である。このスキャン処理部１５ｂは、原稿のスキャン処理を実行した後、スキャン処理により得られた画像データがカラー画像であるのか、モノクロ画像であるのかを判定する処理や、画像データにページ番号を割り当てる処理も併せて行う。
【００６９】
コピー処理部１５ｃは、原稿データのコピー処理を行う処理部である。コピー処理を行う場合、コピー処理部１５ｃは、スキャン処理部１５ｂに原稿のスキャンを依頼し、その結果得られた画像データの印刷を印刷処理部１５ａに依頼する。ＦＡＸ処理部１５ｄは、ＦＡＸの送受信処理を行う処理部である。
【００７０】
記憶部１６は、メモリやハードディスク装置などの記憶デバイスである。この記憶部１６は、原稿データ１６ａ、ページ属性情報１６ｂ、ジョブ設定情報１６ｃなどのデータを記憶する。
【００７１】
原稿データ１６ａは、スキャン処理部１５ｃが読み取った原稿の画像データや、ＦＡＸ処理部１５ｄが受信したＦＡＸの画像データである。
【００７２】
ページ属性情報１６ｂは、原稿データ１６ａとして画像データが記憶されている各ページの属性情報である。具体的には、ページ属性情報１６ｂには、原稿データ１６ａとして記憶された各ページの画像データがカラー画像であるか、あるいは、モノクロ画像であるかの情報や、各ページのページ番号の情報などが含まれる。
【００７３】
ジョブ設定情報１６ｃは、ユーザが入力部１１を操作して入力したジョブの設定情報である。例えば、ジョブ設定情報１６ｃは、ページの集約を行うか否かの情報、ページの集約を行う場合の１ページに含めるページ数の情報、コピーする原稿とは別の原稿のページを挿入してページの編集を行う場合に、プレビュー画面に表示する別の原稿を特定する情報などが含まれる。
【００７４】
制御部１７は、画像形成装置１０を全体的に制御するＣＰＵ（Central Processing Unit）などの制御デバイスである。この制御部１７は、ジョブ設定受付部１７ａ、指示受付部１７ｂ、原稿編集処理部１７ｃ、集約判定部１７ｄ、表示制御部１７ｅを備える。
【００７５】
ジョブ設定受付部１７ａは、入力部１１を介して、ユーザからジョブの設定情報を受け付ける処理部である。ジョブ設定受付部１７ａは、受け付けた設定情報を記憶部１６にジョブ設定情報１６ｃとして記憶する。
【００７６】
指示受付部１７ｂは、入力部１１を介して、ユーザから印刷する原稿の編集指示を受け付ける処理部である。例えば、指示受付部１７ｂは、ページの挿入などによるページの並び順の変更指示をユーザから受け付ける。原稿編集処理部１７ｃは、指示受付部１７ｂが受け付けた編集指示に従い、印刷する原稿の編集処理を行う処理部である。
【００７７】
集約判定部１７ｄは、指示受付部１７ｂが、ページの並び順の変更指示を受け付けた場合に、その並び順の変更によりカラー画像のページとモノクロ画像のページとが同一の集約ページに混在するようになるか否かを判定する処理部である。
【００７８】
表示制御部１７ｅは、表示部１２に対する情報の表示を制御する処理部である。例えば、表示制御部１７ｅは、集約判定部１７ｄによりカラー画像のページとモノクロ画像のページとが同一の集約ページに混在するようになると判定された場合に、表示部１２を制御して、表示部１２に警告メッセージ３を表示させる。
【００７９】
図５は、ページの編集指示をユーザから受け付けるプレビュー画面２０の一例を示す図である。このプレビュー画面２０は、表示制御部１７ｅによる制御の下、表示部１２により表示される。
【００８０】
図５に示すように、このプレビュー画面２０には、ページ表示領域２１と、移動ボタン２２ａ〜２２ｄが表示される。そして、ページ表示領域２１には、図１〜図３で説明した各ページに対応するアイコン２３ｄ〜２３ｇが表示される。
【００８１】
ここで、アイコン２３ｄに付された「Ｃ」の記号は、そのアイコン２３ｄに対応するページがカラー画像であることを示し、アイコン２３ａ〜２３ｃに付された「Ｍ」の記号は、それらのアイコン２３ａ〜２３ｃに対応するページがモノクロ画像であることを示す。また、１ページに集約される各ページのアイコン（例えば、アイコン２３ｂとアイコン２３ｃ）は連結線２４で結ばれ、ユーザは１ページに集約される各ページを容易に確認できるようになっている。
【００８２】
ここで、ユーザが移動ボタン２２ａ〜２２ｄをタッチすると、移動ボタン２２ａ〜２２ｄに対応する方向にアイコン２３ａ〜２３ｄの表示がスクロールし、ページ表示領域２１に表示されていないアイコンが表示されるようになる。また、ユーザがアイコン２３ａ〜２３ｄをドラッグして、ページ表示領域２１の外側にアイコン２３ａ〜２３ｄを移動させると、その移動に応じてページ表示領域２１がスクロールし、ページ表示領域２１に表示されていないアイコンが表示されるようになる。
【００８３】
ユーザは、このページ表示領域２１において、いずれかのアイコンをドラッグし、そのアイコンを別のアイコンの前に挿入することにより、その別のアイコンに対応するページの前に、ドラッグしたアイコンに対応するページを挿入するよう画像形成装置に指示することができる。
【００８４】
図６は、別の原稿に含まれるページを挿入するページの編集指示をユーザから受け付けるプレビュー画面２０の一例を示す図である。このプレビュー画面２０も、表示制御部１７ｅによる制御の下、表示部１２により表示される。ここで、１ページに集約される各ページのアイコン（アイコン２３ａとアイコン２３ｂ、アイコン２３ｃとアイコン２３ｄ、アイコン２３ｅとアイコン２３ｆ）は連結線２４で結ばれ、ユーザは１ページに集約される各ページを容易に確認できるようになっている。
【００８５】
このプレビュー画面２０には、ページ表示領域２１と、移動ボタン２２ａ〜２２ｄが表示される。そして、ページ表示領域２１には、集約対象となる第１の原稿の各ページを示すアイコン２３ａ〜２３ｆと、第２の原稿の各ページを示すアイコン２５ａ〜２５ｆとが表示される。
【００８６】
移動ボタン２２ａ〜２２ｄは、図５で説明した移動ボタン２２ａ〜２２ｄと同様のものである。また、ユーザがアイコン２３ａ〜２３ｆ、２５ａ〜２５ｆをドラッグして、ページ表示領域２１の外側にアイコン２３ａ〜２３ｆ、２５ａ〜２５ｆを移動させると、その移動に応じてページ表示領域２１がスクロールし、ページ表示領域２１に表示されていないアイコンが表示されるようになる。
【００８７】
ユーザは、このページ表示領域２１において、第２の原稿のいずれかのアイコンをドラッグし、そのアイコンを第１の原稿のアイコンの前に挿入することにより、そのアイコンに対応するページの前に、ドラッグしたアイコンに対応するページを挿入するよう画像形成装置に指示することができる。
【００８８】
このように、表示部１１が、第１の原稿の各ページに対応するアイコンをページ順に並べるとともに、第２の原稿の各ページに対応するアイコンをページ順に並べたプレビュー画面２０を表示し、指示受付部１７ｂが、プレビュー画面２０においてページの編集処理を受け付けることとしたので、第２の原稿に含まれるページを第１の原稿に含まれるページ間に挿入する場合に、ユーザの編集作業を容易にすることができる。
【００８９】
図７は、警告メッセージ３を表示するプレビュー画面２０の一例を示す図である。このプレビュー画面２０も、表示制御部１７ｅによる制御の下、表示部１２により表示される。この警告メッセージ３は、図２を用いて説明した警告メッセージ３と同様のものである。
【００９０】
ここで、ページ表示領域２１には、警告メッセージ３の他、１ページに集約されるページのアイコン２３ａ〜２３ｄと、各集約ページを示すアイコン２６ａ〜２６ｃが表示される。
【００９１】
また、モノクロ画像とともに集約されることによりモノクロ印刷されることになるカラー画像のページのアイコン２３ｂは、他のアイコン２３ａ、２３ｃ、２３ｄとは異なる態様で表示される。例えば、図７に示すように、アイコン２３ｂは、強調枠線２７などで囲んで強調表示される。他に、アイコン２３ｂに対する強調表示は、点滅表示であってもよく、また、他のアイコンの表示色とは異なる色を用いた表示であってもよい。
【００９２】
このように、モノクロ画像とともに集約されることによりモノクロ印刷されることになるカラー画像のページのアイコン２３ｂを、他のアイコン２３ａ、２３ｃ、２３ｄとは異なる態様で表示することにより、どのページに対して警告メッセージ３が表示されているのかをユーザが容易に認識することができる。
【００９３】
また、図７の例では、警告メッセージ３をアイコン２３ｂの下側に表示することとしたが、アイコン２３ｂの上側や右側、あるいは、左側に表示したり、アイコン２３ｂに重ねて表示したりしてもよい。
【００９４】
つぎに、本発明の実施形態に係る画像形成処理の処理手順について説明する。図８は、本発明の実施形態に係る画像形成処理の処理手順の一例を示すフローチャートである。
【００９５】
まず、画像形成装置１０のジョブ設定受付部１７ａは、入力部１１を介して、ユーザからジョブの設定情報の入力を受け付ける（ステップＳ１０１）。ジョブの設定情報とは、ページの集約を行うか否かの情報、ページの集約を行う場合の１ページに含めるページ数の情報、図３で説明したように、コピーする原稿とは別の原稿のページを挿入してページの編集を行う場合に、プレビュー画面に表示する別の原稿を特定する情報などである。
【００９６】
そして、表示制御部１７ｅは、記憶部１６から原稿データ１６ａを読み出す（ステップＳ１０２）。その後、表示制御部１７ｅは、原稿データ１６ａに基づいて、印刷される原稿の各ページを表示するプレビュー画面の画像データを生成し、表示部１２を制御して、生成したプレビュー画面を表示する（ステップＳ１０３）。
【００９７】
ここで、表示制御部１７ｅは、ステップＳ１０１で入力を受け付けたジョブの設定情報を参照し、その設定情報にページの集約を行うように設定されている場合には、図５に示したように、１ページに集約される各ページが連結線２４で結ばれたプレビュー画面２０を表示する。
【００９８】
また、表示制御部１７ｅは、ステップＳ１０１で入力を受け付けたジョブの設定情報を参照し、その設定情報にプレビュー画面に表示する別の原稿を特定する情報が設定されている場合には、図６に示したように、その別の原稿の各ページを示すアイコン２５ａ〜２５ｆと、印刷する原稿の各ページを示すアイコン２３ａ〜２３ｆを含むプレビュー画面２０を表示する。
【００９９】
その後、指示受付部１７ｂは、入力部１１を介して、プレビュー画面においてなされる処理の実行指示をユーザから受け付けたか否かを判定する（ステップＳ１０４）。処理の実行指示をユーザから受け付けていない場合（ステップＳ１０４においてＮＯの場合）、実行指示を受け付けるまで、ステップＳ１０４の判定処理を継続する。
【０１００】
処理の実行指示をユーザから受け付けた場合（ステップＳ１０４においてＹＥＳの場合）、集約判定部１７ｄは、ステップＳ１０１で入力を受け付けたジョブの設定情報を参照し、その設定情報にページの集約を行うように設定されているか否かを判定する（ステップＳ１０５）。
【０１０１】
設定情報にページの集約を行うように設定されていない場合（ステップＳ１０５においてＮＯの場合）、集約判定部１７ｄ、表示制御部１７ｅ、および、印刷処理部１５ａは、ページの集約を伴わない通常印刷処理を実行する（ステップＳ１０６）。この通常印刷処理については、後に図９を用いて詳しく説明する。
【０１０２】
設定情報にページの集約を行うように設定されている場合（ステップＳ１０５においてＹＥＳの場合）、集約判定部１７ｄ、表示制御部１７ｅ、および、印刷処理部１５ａは、ページの集約を伴う集約印刷処理を実行する（ステップＳ１０７）。この集約印刷処理については、後に図１０を用いて詳しく説明する。
【０１０３】
ステップＳ１０６の処理、または、ステップＳ１０７の処理の後、この画像形成処理は終了する。
【０１０４】
つぎに、図８のステップＳ１０６に示した通常印刷処理について説明する。図９は、通常印刷処理の処理手順の一例について説明するフローチャートである。
【０１０５】
まず、画像形成装置１０の指示受付部１７ｂは、図８のステップＳ１０４でユーザから受け付けた処理の実行指示が、ページの挿入などのページの並び順の変更指示であったか否かを判定する（ステップＳ２０１）。
【０１０６】
その実行指示がページの並び順の変更指示であった場合（ステップＳ２０１においてＹＥＳの場合）、原稿編集処理部１７ｃは、図８のステップＳ１０４において受け付けたページの並び順の変更指示に従い、ページの並び順を変更する（ステップＳ２０２）。
【０１０７】
実行指示がページの並び順の変更指示でなかった場合（ステップＳ２０１においてＮＯの場合）、原稿編集処理部１７ｃは、実行指示を受け付けた処理を実行する（ステップＳ２０５）。例えば、このような処理として、原稿に含まれるカラー画像のページをすべてモノクロ画像のページに変換する処理などが挙げられる。
【０１０８】
ステップＳ２０２、または、ステップＳ２０５の処理の後、印刷処理部１５ａは、入力部１１を介して、印刷指示をユーザから受け付けたか否かを判定する（ステップＳ２０３）。
【０１０９】
印刷指示をユーザから受け付けた場合（ステップＳ２０３においてＹＥＳの場合）、印刷処理部１５ａは、ページの集約処理を伴わない通常印刷を行い（ステップＳ２０４）、この通常印刷処理は終了する。
【０１１０】
印刷指示をユーザから所定時間内に受け付けなかった場合（ステップＳ２０３においてＮＯの場合）、ジョブ設定受付部１７ａは、図８のステップＳ１０１で受け付けたジョブの設定をキャンセルし（ステップＳ２０６）、この通常印刷処理は終了する。
【０１１１】
つぎに、図８のステップＳ１０７に示した集約印刷処理について説明する。図１０は、集約印刷処理の処理手順の一例について説明するフローチャートである。
【０１１２】
まず、画像形成装置１０の指示受付部１７ｂは、図８のステップＳ１０４でユーザから受け付けた処理の実行指示が、ページの挿入などのページの並び順の変更指示であったか否かを判定する（ステップＳ３０１）。
【０１１３】
実行指示がページの並び順の変更指示でなかった場合（ステップＳ３０１においてＮＯの場合）、原稿編集処理部１７ｃは、実行指示を受け付けた処理を実行する（ステップＳ３１０）。例えば、このような処理として、原稿に含まれるカラー画像のページをすべてモノクロ画像のページに変換する処理などが挙げられる。
【０１１４】
そして、印刷処理部１５ａは、入力部１１を介して、印刷指示をユーザから受け付けたか否かを判定する（ステップＳ３０８）。印刷指示をユーザから受け付けた場合（ステップＳ３０８においてＹＥＳの場合）、印刷処理部１５ａは、ページの集約処理を伴う集約印刷を行い（ステップＳ３０９）、この通常印刷処理は終了する。
【０１１５】
印刷指示をユーザから所定時間内に受け付けなかった場合（ステップＳ３０８においてＮＯの場合）、ジョブ設定受付部１７ａは、図８のステップＳ１０１で受け付けたジョブの設定をキャンセルし（ステップＳ３１２）、この通常印刷処理は終了する。
【０１１６】
ステップＳ３０１において、処理の実行指示がページの並び順の変更指示であった場合（ステップＳ３０１においてＹＥＳの場合）、集約判定部１７ｄは、図８のステップＳ１０４で受け付けたページの並び順の変更指示に従ってページの並び順を変更することにより、集約ページにおいて組み合わせが変更となるページの属性情報を記憶部１６のページ属性情報１６ｂから読み出す（ステップＳ３０２）。具体的には、集約判定部１７ｄは、集約ページにおいて組み合わせが変更となるページの画像がカラー画像であるか、あるいは、モノクロ画像であるかの情報を読み出す。
【０１１７】
その後、集約判定部１７ｄは、ページの組み合わせが変更となる集約ページにカラー画像のページとモノクロ画像のページとが混在しているか否かを判定する（ステップＳ３０３）。
【０１１８】
上記集約ページにカラー画像のページとモノクロ画像のページとが混在している場合（ステップＳ３０３においてＹＥＳの場合）、表示制御部１７ｅは、表示部１２を制御して、図７に示すように、その集約ページに対する印刷処理がモノクロ印刷となることを警告する警告メッセージ３を表示する（ステップＳ３０４）。
【０１１９】
その後、指示受付部１７ｂは、モノクロ印刷を許可する入力をユーザから所定時間内に受け付けたか否かを判定する（ステップＳ３０５）。具体的には、指示受付部１７ｂは、図７に示す許可指示受付領域３ａがユーザにより所定時間内にタッチされたか否かを判定する。
【０１２０】
モノクロ印刷を許可する入力をユーザから所定時間内に受け付けていない場合（ステップＳ３０５においてＮＯの場合）、原稿編集処理部１７ｃは、ステップＳ１０４において受け付けたページの並び順の変更指示を破棄する（ステップＳ３１１）。
【０１２１】
その後、印刷処理部１５ａは、入力部１１を介して、印刷指示をユーザから所定時間内に受け付けたか否かを判定する（ステップＳ３０８）。印刷指示をユーザから所定時間内に受け付けた場合（ステップＳ３０８においてＹＥＳの場合）、印刷処理部１５ａは、集約ページを生成し、さらに生成した集約ページに対する印刷処理を実行して（ステップＳ３０９）、この集約印刷処理は終了する。
【０１２２】
ステップＳ３０８において、印刷指示をユーザから所定時間内に受け付けていない場合（ステップＳ３０８においてＮＯの場合）、ジョブ設定受付部１７ａは、ステップＳ１０１で受け付けたジョブの設定をキャンセルし（ステップＳ３１２）、この集約印刷処理は終了する。
【０１２３】
ステップＳ３０３において、ページの組み合わせが変更となる集約ページにカラー画像のページとモノクロ画像のページとが混在していない場合（ステップＳ３０３においてＮＯの場合）、集約判定部１７ｄは、ページの組み合わせが変更となるすべての集約ページについて、ステップＳ３０３の混在判定処理が完了したか否かを判定する（ステップＳ３０６）。
【０１２４】
すべての集約ページについて混在判定処理が完了していない場合（ステップＳ３０６においてＮＯの場合）、ステップＳ３０２に移行して、混在判定処理が完了していない集約ページにおいて、組み合わせが変更となるページの属性情報を読み出し（ステップＳ３０２）、その後の処理を継続する。
【０１２５】
ステップＳ３０６において、すべての集約ページについて混在判定処理が完了した場合（ステップＳ３０６においてＹＥＳの場合）、原稿編集処理部１７ｃは、ステップＳ１０４において受け付けたページの並び順の変更指示に従い、ページの並び順を変更する（ステップＳ３０７）。
【０１２６】
その後、印刷処理部１５ａは、入力部１１を介して、印刷指示をユーザから所定時間内に受け付けたか否かを判定する（ステップＳ３０８）。印刷指示をユーザから所定時間内に受け付けた場合（ステップＳ３０８においてＹＥＳの場合）、印刷処理部１５ａは、集約ページを生成し、さらに生成した集約ページに対する印刷処理を実行して（ステップＳ３０９）、この集約印刷処理は終了する。
【０１２７】
ステップＳ３０８において、印刷指示をユーザから所定時間内に受け付けていない場合（ステップＳ３０８においてＮＯの場合）、ジョブ設定受付部１７ａは、ステップＳ１０１で受け付けたジョブの設定をキャンセルし（ステップＳ３１２）、この集約印刷処理は終了する。
【０１２８】
さて、これまで画像形成装置および画像形成方法の実施形態を中心に説明を行ったが、本発明はこれらの実施形態に限定されるものではなく、画像形成装置の機能を実現するためのコンピュータプログラムとしての形態、あるいは、当該コンピュータプログラムが記録されたコンピュータ読み取り可能な記録媒体の形態として本発明が実施されることとしてもよい。
【０１２９】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１３０】
これら記録媒体に上記実施形態における画像形成装置の機能を実現させるコンピュータプログラム、または、画像形成方法をコンピュータに実行させるコンピュータプログラムを記録して流通させることにより、コストの低廉化、及び可搬性や汎用性を向上させることができる。
【０１３１】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る画像形成装置の機能を実現し、画像形成方法を実行することができる。
【０１３２】
また、本発明は上述した実施形態に限定されず、本発明の要旨を逸脱しない範囲内で各種の変形、修正が可能である。
【０１３３】
例えば、上記実施形態では、ユーザが集約ページに含まれるページの挿入などの編集を行い、集約ページにカラー画像のページとモノクロ画像のページが混在するようになった場合に、画像処理装置が、その集約ページがモノクロ印刷で印刷されることになることを警告する警告メッセージを表示することとしたが、画像処理装置が、カラー画像のページとモノクロ画像のページが混在するようになる編集を禁止することとしてもよい。
【０１３４】
図１１は、ページ編集処理の禁止処理の一例について説明する図である。図１１には、ページ１ｆの前にページ１ｇを挿入する場合が示されている。画像形成装置のタッチパネルには、図１１に示す各ページ１ａ〜１ｊに対応するアイコンがページ順にプレビュー画面として表示され、ユーザは、タッチパネルでページ１ｇをドラッグし、ページ１ｆの前にページ１ｇを挿入することにより、ページ１ｇの挿入処理の実行を画像形成装置に指示する。
【０１３５】
画像形成装置は、図１の場合と同様に、ページ１ｇを挿入した後の集約対象となるページがいずれもカラー画像のページ（ページ１ａとページ１ｂ、ページ１ｉとページ１ｊ）である場合、カラー画像の集約ページ（集約ページ２ａ、２ｅ）を生成する。
【０１３６】
また、画像形成装置は、集約対象となるページがいずれもモノクロ画像のページ（ページ１ｃとページ１ｄ）である場合、モノクロ画像の集約ページ（集約ページ２ｂ）を生成する。
【０１３７】
ここで、ページ１ｆの前にページ１ｇを挿入し、ページ１ｆ〜１ｊの並び順を変更する場合、画像処理装置１０の集約判定部１７ｄは、その並び順の変更によりカラー画像のページとモノクロ画像のページとが同一の集約ページに混在するようになるか否かを判定する。
【０１３８】
図１１の例では、集約ページ２ｃにカラー画像のページ１ｇとモノクロ画像のページ１ｅとが混在するようになり、その結果、ページ１ｇがモノクロ印刷されることとなるので、画像処理装置は、ページ１ｇの挿入処理を禁止する旨の警告メッセージ５を表示する。また、ページ１ｇの印刷がモノクロ印刷とならない場合でも、ページ１ｇの挿入により、その後のページの印刷がカラー印刷からモノクロ印刷となる場合には、画像処理装置は、ページ１ｇの挿入処理を禁止する旨の警告メッセージ５を表示する。
【０１３９】
これにより、ユーザがページの挿入を行う際、集約ページにおけるカラー画像のページとモノクロ画像のページの混在によりページの挿入が禁止されることをユーザに通知することができ、ユーザの編集作業を効果的に支援することができる。
【０１４０】
また、上記実施形態では、集約ページにカラー画像のページとモノクロ画像のページが混在するようになった場合に、その集約ページがモノクロ印刷で印刷されることとしたが、集約ページがカラー印刷されることとしてもよい。この場合、表示制御部１７ｅは、集約ページがカラー印刷されることを警告する警告メッセージを表示部１２に表示させる。
【０１４１】
また、上記実施形態では、プレビュー画面においてページを挿入することによりページの並び順が変更される場合について説明したが、プレビュー画面においてページを削除することによりページの並び順が変更される場合にも同様に、本発明を適用することができる。
【０１４２】
この場合、画像形成装置１０の表示部１１は、原稿に含まれる各ページのアイコンをページ順に並べ、さらにページの削除処理の実行指示を受け付けるための削除ボタンが配置されたプレビュー画面を表示する。ユーザは、削除したいページのアイコンをタッチし、さらに削除ボタンをタッチすることにより、ページの削除を画像形成装置１０に指示することができる。
【０１４３】
そして、画像処理装置１０の原稿編集処理部１７ｃは、ユーザにより指定されたページを削除し、削除したページの後ろにあるページのページ番号を繰り上げることにより、ページの並び順を変更する処理を行う。
【０１４４】
さらに、集約判定部１７ｄは、集約印刷が行われる場合に、上記並び順の変更により、カラー画像のページとモノクロ画像のページとが同一の集約ページに混在するようになるか否かを判定する。続いて、表示制御部１７ｅは、図２の場合と同様に、カラー画像のページとモノクロ画像のページとが同一の集約ページに混在すると判定された場合に、印刷処理がモノクロ印刷となる旨の警告メッセージ３を表示部１１に表示させる。
【０１４５】
このように、ユーザが集約ページに含まれるページの削除を行う際にも、印刷処理がモノクロ印刷となることをユーザに通知することができ、ユーザによるページの編集作業を効果的に支援することができる。
【０１４６】
また、上記実施形態では、集約ページにカラー画像のページとモノクロ画像のページとが混在する場合に、警告メッセージを表示することとしたが、カラー画像、あるいは、モノクロ画像という属性以外のページの属性が用いられる場合にも同様に本発明は適用され得る。
【０１４７】
例えば、集約ページに異なる画像フォーマットのページが混在し、各ページのフォーマットがいずれかのフォーマットに変換されるような場合に、画像形成装置が警告メッセージを表示することとしてもよい。
【０１４８】
また、ページ毎にカラー印刷、あるいは、モノクロ印刷を行うように出力カラーが設定されている場合であって、集約ページに異なる出力カラーのページが混在し、各ページの出力カラーがいずれかの出力カラーに変換されるような場合に、画像形成装置が警告メッセージを表示することとしてもよい。
【０１４９】
また、集約ページに異なる階調のページが混在し、各ページの階調がいずれかの階調に変換されるような場合に、警告メッセージを表示することとしてもよい。例えば、集約ページに２階調の画像のページと８階調の画像のページが混在し、各ページの階調が２階調に変換されるような場合に、画像形成装置が警告メッセージを表示することとしてもよい。
【符号の説明】
【０１５０】
１ａ〜１ｊ、４ｃ〜４ｈ…アイコン、２ａ〜２ｅ…集約ページ、３，５…警告メッセージ、３ａ…許可指示受付領域、３ｂ…禁止指示受付領域、１０…画像形成装置、１１…入力部、１２…表示部、１３…ネットワークインターフェース部、１４…電話回線インターフェース部、１５…ページ形成部、１５ａ…印刷処理部、１５ｂ…スキャン処理部、１５ｃ…コピー処理部、１５ｄ…ＦＡＸ処理部、１６…記憶部、１６ａ…原稿データ、１６ｂ…画像情報、１６ｃ…ジョブ設定情報、１７…制御部、１７ａ…ジョブ設定受付部、１７ｂ…指示受付部、１７ｃ…原稿編集処理部、１７ｄ…集約判定部、１７ｅ…表示制御部、２０…プレビュー画面、２１…ページ表示領域、２２ａ〜２２ｄ…移動ボタン、２３ａ〜２３ｆ、２５ａ〜２５ｆ…アイコン、２４…連結線、２６…強調枠線。
【図１】
0005134708.tif 000002
【図２】
0005134708.tif 000003
【図３】
0005134708.tif 000004
【図４】
0005134708.tif 000005
【図５】
0005134708.tif 000006
【図６】
0005134708.tif 000007
【図７】
0005134708.tif 000008
【図８】
0005134708.tif 000009
【図９】
0005134708.tif 000010
【図１０】
0005134708.tif 000011
【図１１】
0005134708.tif 000012